(57)【要約】【課題】  電線が込み合っていている場所や、縁線のように張力が加わりにくい場所であっても、例えば上部引留碍子などを支持点とすることで、電線を所望の方向に引っ張ることで張力を加え、曲げたり、くせ取りしたりする電線曲げ用先端工具を提供する。【解決手段】  ドラム状に形成され、周面の幅が電線の幅と同程度に設定された摩擦ドラム２と、摩擦ドラム２の側面に揺動自在に配設されたアーム３、５と、アームの一端側に配設された電線押圧部４、６と、を備え、両アーム３、５の他端側３ｃ、５ｃを遠隔操作用ヤットコ１００の先端部に装着し、摩擦ドラム２の周面と電線押圧部４、６の周面とに電線Ｅを架け渡した状態で、遠隔操作用ヤットコ１００によって両アーム３、５の他端側３ｃ、５ｃの距離を変化させることにより、電線押圧部４、６の少なくともいずれか一方が摩擦ドラム２に対して揺動する。【選択図】  図１
2014033575.tif 000002
【特許請求の範囲】
【請求項１】
把持工具の先端部に取付けられ、間接活線作業で電線のくせ取りに使用される電線曲げ用先端工具であって、
ドラム状に形成され、周面の幅が前記電線の幅と同程度に設定された摩擦ドラムと、
前記摩擦ドラムの側面に揺動自在に配設された第１のアームと、
前記第１のアームの一端側に配設された第１の電線押圧部と、
前記摩擦ドラムの側面に揺動自在に配設された第２のアームと、
前記第２のアームの一端側に配設された第２の電線押圧部と、
を備え、
前記第１のアームの他端側と前記第２のアームの他端側とを前記把持工具の先端部に装着し、前記第１の電線押圧部と前記摩擦ドラムの周面と前記第２の電線押圧部とに前記電線を架け渡した状態で、前記把持工具によって前記第１のアームの他端側と前記第２のアームの他端側との距離を変化させることにより、前記第１の電線押圧部と前記第２の電線押圧部の少なくともいずれか一方が前記摩擦ドラムに対して揺動する、
ことを特徴とする電線曲げ用先端工具。
【請求項２】
前記摩擦ドラムの周面は、前記電線との間に所定の摩擦抵抗を生じるように形成されている、
ことを特徴とする請求項１に記載の電線曲げ用先端工具。
【発明の詳細な説明】
【技術分野】
【０００１】
この発明は、間接活線作業において、電線などのケーブルを曲げたり、くせ取りしたりするための電線曲げ用先端工具に関する。
【背景技術】
【０００２】
高圧引下げ線などの電線は、通常時は充電しているため、電線間や電柱、腕金などと十分な距離を保つように電線を所定の形状にくせ付けして配設されている。また、電線を架設した後も、くせ付けした形状が経年変化してしまった場合には、再度くせ付けして調節する必要がある。このように高圧引下げ線などを曲げたり、くせ直しをしたりする際は、安全かつ容易に作業するために電線曲げ工具が用いられる。
【０００３】
電線曲げ工具に関する従来技術としては、例えば、種々の太さの電線に対してそれぞれを適切な力で保持して、種々の太さの電線を安定的に曲げる電線ベンダーが知られている（特許文献１参照。）。また、電線を電線押え部材とベアリングとの間に通し、取っ手を開くことで電線曲げ部材が折れ曲がり、電線押え部材とベアリングとで電線を曲げられる電線曲げ工具や（特許文献２参照。）、絶縁操作棒を取り付ける第１支持部材と、逆三角形の第２支持部材のピンの間に電線を引っ掛けて絶縁操作棒を回転させることにより、その第１、第２支持部材を上下動させて電線を湾曲させる電線ベンダー装置が知られている（特許文献３参照。）
【先行技術文献】
【特許文献】
【０００４】
【特許文献１】特開２００８−０７３７５８号公報
【特許文献２】特開２００６−１１０５７５号公報
【特許文献３】特開２００６−１２９６１０号公報
【発明の概要】
【発明が解決しようとする課題】
【０００５】
しかし、特許文献１および特許文献２に記載の技術は、工具に取っ手（ハンドル）を備えるため長尺（大型）であり、さらに間接活線作業に適したものではないという問題がある。
【０００６】
また、特許文献３に記載の技術は、絶縁操作棒に取り付けて使用するものであるが、電線をピンに引っ掛けた状態で絶縁操作棒を操作して上下動させるものであるため、電線が込み合っていて、絶縁操作棒を上下動させるスペースがない場合などには適用できないものである。
【０００７】
さらに、高圧架線から上部引留碍子の間の余長があり張力が加わりにくい箇所、すなわち、縁線においては、電線を曲げたり、くせ直しをしたりする場合は、電線を下方に大きく引っ張る必要がある。このとき、電線が大きく動揺してしまうため、他の電線や腕金や柱上装置などと接触するおそれがある。
【０００８】
そこで本発明は、電線が込み合っていている場所や、縁線のように張力が加わりにくい場所であっても、例えば上部引留碍子などを支持点とすることで、電線を所望の方向に引っ張ることにより、電線に張力を加え、曲げたり、くせ取りしたりすることが可能な電線曲げ用先端工具を提供することを目的とする。
【課題を解決するための手段】
【０００９】
上記目的を達成するために請求項１に記載の発明は、把持工具の先端部に取付けられ、間接活線作業で電線のくせ取りに使用される電線曲げ用先端工具であって、ドラム状に形成され、周面の幅が前記電線の幅と同程度に設定された摩擦ドラムと、前記摩擦ドラムの側面に揺動自在に配設された第１のアームと、前記第１のアームの一端側に配設された第１の電線押圧部と、前記摩擦ドラムの側面に揺動自在に配設された第２のアームと、前記第２のアームの一端側に配設された第２の電線押圧部と、を備え、前記第１のアームの他端側と前記第２のアームの他端側とを前記把持工具の先端部に装着し、前記第１の電線押圧部と前記摩擦ドラムの周面と前記第２の電線押圧部とに前記電線を架け渡した状態で、前記把持工具によって前記第１のアームの他端側と前記第２のアームの他端側との距離を変化させることにより、前記第１の電線押圧部と前記第２の電線押圧部の少なくともいずれか一方が前記摩擦ドラムに対して揺動する、ことを特徴とする電線曲げ用先端工具である。
【００１０】
この発明によれば、把持工具によって第１のアームの他端側と第２のアームの他端側との距離を変化させることにより、第１のアームの一端側と第２のアームの一端側とが進退して、第１の電線押圧部と第２の電線押圧部の少なくともいずれか一方が摩擦ドラムに対して揺動することにより、電線に張力が加えられる。
【００１１】
請求項２に記載の発明は、請求項１に記載の電線曲げ用先端工具において、前記摩擦ドラムの周面は、前記電線との間に所定の摩擦抵抗を生じるように形成されている、ことを特徴とする。
【発明の効果】
【００１２】
請求項１に記載の発明によれば、把持工具によって第１のアームの他端側と第２のアームの他端側との距離を変化させることにより、第１のアームの一端側と第２のアームの一端側とが進退して、第１の電線押圧部と第２の電線押圧部の少なくともいずれか一方が摩擦ドラムに対して揺動することにより、電線に張力が加えられるので、電線を曲げたり、くせ直しをしたりすることができる。
【００１３】
また、把持工具を操作して、第１のアームの他端側と第２のアームの他端側との距離を変化させればよく、所望の方向に操作することができるため、作業場所に応じて適切な方向を選んで操作することができる。
【００１４】
請求項２に記載の発明によれば、摩擦ドラムの周面は、電線との間に所定の摩擦抵抗を生じるので、摩擦ドラムと、第１の電線押圧部と第２の電線押圧部とによって確実に電線に張力を加えることができる。
【図面の簡単な説明】
【００１５】
【図１】本発明の実施の形態に係る電線曲げ用先端工具の正面図である。
【図２】図１の電線曲げ用先端工具の正面図である。
【図３】図１の電線曲げ用先端工具の使用場所を示す概略図である。
【図４】本発明の他の実施の形態に係る電線曲げ用先端工具の正面図である。
【図５】図４の電線曲げ用先端工具の正面図である。
【発明を実施するための形態】
【００１６】
つぎに、この発明の実施の形態について、図面を用いて詳しく説明する。
【００１７】
図１ないし図３は、本発明の実施の形態を示している。図１に示すように、電線曲げ用先端工具１は、例えば高圧引下げ線のくせ直しをする際に用いられるものであり、この実施の形態においては、図３に示すように、電柱Ｐに架設された高圧架線（図示略）から上部引留碍子Ｇの間の縁線（電線）Ｅに使用する場合について説明する。
【００１８】
図１は、電線曲げ用先端工具１の全体を示している。電線曲げ用先端工具１は、主として、摩擦ドラム２と、第１のアーム３と、第１の電線押圧部４と、第２のアーム５と、第２の電線押圧部６と、第１のアダプタ７と、第２のアダプタ８とを有している。電線曲げ用先端工具１は、間接活線作業用の把持工具（遠隔操作用ヤットコ）１００の先端部に着脱自在となっているものである。ここで、遠隔操作用ヤットコ１００は、主として、絶縁棒１０１と、可動部１０２と、操作ロッド１０３とを有している。可動部１０２は、第１の可動アーム１０２ａと、第２の可動アーム１０２ｂとが、支持部１０２ｃを介して揺動可能に配設されている。すなわち、第１の可動アーム１０２ａの先端部は自由端となっており揺動可能となっている。同様に、第２の可動アーム１０２ｂの先端部は自由端となっており、同様に揺動可能となっている。また、第１の可動アーム１０２ａの先端部と第２の可動アーム１０２ｂの先端部とは、対向して配置されている。このような可動アーム１０２ａ、１０２ｂは、操作ロッド１０３を操作することによって所定範囲を揺動可能となっている。具体的には、作業者が一方の手で絶縁棒１０１を把持し、他方の手で操作ロッド１０３を操作することによって、可動アーム１０２ａ、１０２ｂが揺動して、進退（接近したり離接したり）するものである。
【００１９】
摩擦ドラム２は、ドラム状に形成され、その周面は、電線Ｅがずれたり、抜け落ちたりしないように、電線Ｅの幅と同程度の幅の凹状に形成されている。この摩擦ドラム２の周面は、ゴムなどの摩擦抵抗の大きい合成樹脂などの部材で構成されており、電線Ｅとの間に所定値以上の摩擦抵抗を生じるようになっている。ここでは、摩擦ドラム２の上方周面に電線Ｅが接触するようになっており、このとき、摩擦抵抗によって電線Ｅの滑りが防止される。すなわち、摩擦ドラム２の上方周面によって電線Ｅが確実に支持された状態となる。
【００２０】
第１のアーム３は、曲げ部３ａを有する略くの字状で、曲げ部３ａを基点として摩擦ドラム２の外方に広がるように形成されている。第１のアーム３の曲げ部３ａから先端部までの長さは、摩擦ドラム２の径よりも大に設定されているので、第１のアーム３の両端部は、摩擦ドラム２の外方に突出した状態となっている。また、第１のアーム３は、曲げ部３ａを支点として摩擦ドラム２に揺動自在に配設されている。これにより、第１のアーム３の多端側３ｃは、後述する第２のアーム５の他端側５ｃと進退自在となっている。
【００２１】
第１の電線押圧部４は、ドラム状に形成され、その周面は、電線Ｅがずれたり、抜け落ちたりしないように、電線Ｅの幅と同程度の幅の凹状に形成されており、第１のアーム３の一端側３ｂに配設されている。ここでは、第１の電線押圧部４の下方周面によって、電線Ｅを上方から下方に押圧するようになっており、第１の電線押圧部４は後述する第２の電線押圧部６とともに、電線Ｅを摩擦ドラム２に押圧する機能を有している。
【００２２】
第２のアーム５は、第１のアーム３と同様に構成され、摩擦ドラム２に対して第１のアーム３と対向して配設されている。第２のアーム５は、曲げ部５ａを有する略逆くの字状で、曲げ部５ａを基点として摩擦ドラム２の外方に広がるように形成されている。第２のアーム５の曲げ部５ａから先端部までの長さは、摩擦ドラム２の径よりも大に設定されているので、第２のアーム５の両端部は、摩擦ドラム２の外方に突出した状態となっている。また、第２のアーム５は、曲げ部５ａを支点として摩擦ドラム２に揺動自在に配設されている。これにより、第２のアーム５の多端側５ｃは、第１のアーム３の他端側３ｃと進退自在となっている。具体的には、図２に示すように両アーム３、５の他端側３ｃ、５ｃ同士が離れている場合は、両アーム３、５の一端側３ｂ、５は摩擦ドラム２の周面の凹状部よりも上方に位置し、図１に示すように両アーム３、５の他端側３ｃ、５ｃ同士が接近している場合は、両アーム３、５の一端側３ｂ、５は摩擦ドラム２の周面の凹状部よりも下方に位置してするようになっている。
【００２３】
第２の電線押圧部６は、第１の電線押圧部４と同様に構成されており、ドラム状に形成され、その周面は、電線Ｅがずれたり、抜け落ちたりしないように、電線Ｅの幅と同程度の幅の凹状に形成されており、第２のアーム５の一端側５ｂに配設されている。ここでは、第２の電線押圧部６の下方周面によって、電線Ｅを上方から下方に押圧するようになっており、第２の電線押圧部６は第１の電線押圧部４とともに、電線Ｅを摩擦ドラム２に押圧する機能を有している。
【００２４】
つまり、第１のアーム３の他端側３ｃと第２のアーム５の他端側５ｃとを近づけるように揺動させることにより、第１の電線押圧部４と第２の電線押圧部６とによって、電線Ｅを摩擦ドラム２に上方から下方に押圧するようになっている。これにより、摩擦ドラム２と第１の電線押圧部４と第２の電線押圧部６とによって、電線Ｅが狭持された状態で、例えば、電線曲げ用先端工具１を下方向や、電線Ｅの敷設方向に引っ張ることにより、上部引留碍子Ｇを支点として電線Ｅに張力が作用する。また、電線曲げ用先端工具１の引張方向を変えることにより、電線Ｅの曲がり角度や作用する張力が変化する。
【００２５】
具体的には、遠隔操作用ヤットコ１００の可動部１０２を開いた状態では、図２に示すように、第１の電線押圧部４と第２の電線押圧部６とは電線Ｅから離接している。また、遠隔操作用ヤットコの可動部１０２を閉じた状態では、図１に示すように、第１の電線押圧部４と第２の電線押圧部６とが電線Ｅを押圧し、摩擦ドラム２と第１の電線押圧部４と第２の電線押圧部６とが、電線Ｅを狭持する。
【００２６】
第１のアダプタ７は、遠隔操作用ヤットコ１００の可動部１０２に着脱可能に取付けするための機能を備えた構成である。第１のアダプタ７には、第１のアーム３の他端側３ｃが、可動ピンを介して揺動可能に配設されている。また、第１のアダプタ７には、遠隔操作用ヤットコ１００の可動アーム１０２ａの先端部を挿入する挿入口（図示略）が開口しており、挿入口から内部に可動アーム１０２ａの先端部と係合する凹状の挿入部が形成されている。
【００２７】
第２のアダプタ８は、第１のアダプタ７と同様に、遠隔操作用ヤットコ１００の可動部１０２に着脱可能に取付けするための機能を備えた構成である。第２のアダプタ８には、第２のアーム５の他端側５ｃが、可動ピンを介して揺動可能に配設されている。また、第２のアダプタ８には、可動アーム１０２ｂの先端部を挿入する挿入口（図示略）が開口しており、挿入口から内部に可動アーム１０２ｂの先端部と係合する凹状の挿入部が形成されている。
【００２８】
このため、第１のアダプタ７と第２のアダプタ８との揺動範囲は、遠隔操作用ヤットコ１００の可動部１０２の可動範囲によって制限されているので、第１の電線押圧部４と第２の電線押圧部６の可動範囲も規制されるようになっている。
【００２９】
つぎに、電線曲げ用先端工具１による電線Ｅのくせ取り作業の手順および作用について説明する。
【００３０】
まず、作業者は、作業対象の電線Ｅの下方まで移動して、予め他の電線（図示略）や上部引留碍子Ｇなどの柱上装置の位置を確認する。
【００３１】
そして、遠隔操作用ヤットコ１００の可動部１０２に第１のアダプタ７と第２のアダプタ８とが装着されて、遠隔操作用ヤットコ１００が電線Ｅの高さまで延ばされる。このとき、遠隔操作用ヤットコ１００の可動部１０２が開かれた状態、すなわち、図２に示すように両アーム３、５の他端側３ｃ、５ｃ同士が離れており、両アーム３、５の一端側３ｂ、５は摩擦ドラム２の周面の凹状部よりも上方に位置した状態とされている。
【００３２】
そして、電線曲げ用先端工具１が、電線Ｅの下方から持ち上げながら電線Ｅに近づけられ、電線Ｅが摩擦ドラム２の周面の凹部に当接するように、電線曲げ用先端工具１の位置や角度が調節される。また、第１の電線押圧部４と第２の電線押圧部６とは、電線Ｅの上方に位置した状態で、電線Ｅに当接しないように位置や角度が調節される。つまり、第１の電線押圧部４の周面と摩擦ドラム２の周面と第２の電線押圧部６の周面とに電線Ｅが架け渡されている。
【００３３】
そして、遠隔操作用ヤットコ１００の可動部１０２が閉じるように操作ロッド１０３が操作される。このとき、図１に示すように両アーム３、５の他端側３ｃ、５ｃ同士が接近しており、両アーム３、５の一端側３ｂ、５は摩擦ドラム２の周面の凹状部よりも下方に位置した状態とされる。これにより、第１の電線押圧部４と第２の電線押圧部６とによって電線Ｅが押圧されて、摩擦ドラム２と第１の電線押圧部４と第２の電線押圧部６とによって、電線Ｅが狭持される。また、第１の電線押圧部４と第２の電線押圧部６とによって、電線Ｅが摩擦ドラム２に上方から下方に押圧される。
【００３４】
つぎに、電線Ｅが他の電線や柱上装置と接触しないように、電線曲げ用先端工具１が下方向に引っ張られながら電線Ｅの敷設方向に引っ張られる。このとき、摩擦ドラム２と第１の電線押圧部４と第２の電線押圧部６とによって、上部引留碍子Ｇに支持された電線Ｅが狭持されているので、当該部分の電線Ｅに張力が作用する。これにより、電線Ｅは、所定の形状にくせ付けされる。
【００３５】
つづいて、遠隔操作用ヤットコ１００の可動部１０２が開くように操作ロッド１０３が操作されることにより、電線Ｅから第１の電線押圧部４と第２の電線押圧部６とが離設して、第１の電線押圧部４と第２の電線押圧部６とによる電線Ｅの押圧が解除される。
【００３６】
ここで、作業者によって電線Ｅの変形状態が確認されて、変形が不十分であると判断された場合は、電線曲げ用先端工具１の引張方向を変えるなどして、電線Ｅの曲がり角度や作用する張力を変化させて、所望の形状に変形するまでこのような作業が繰り返される。
【００３７】
以上のように、この電線曲げ用先端工具１によれば、摩擦ドラム２と、第１の電線押圧部４と第２の電線押圧部６との角度が変化することにより、上部引留碍子Ｇを支持点として電線Ｅに張力が加えられるので、電線Ｅを曲げたり、くせ直しをしたりすることができる。このとき、遠隔操作用ヤットコ１００を操作して、第１のアーム３の他端側３ｃと第２のアーム５の他端側５ｃとの距離を変化させればよいので、操作が容易となる。また、電線Ｅの形状を所望の形状にするためには、摩擦ドラム２と、第１の電線押圧部４と第２の電線押圧部６との角度を所望の角度にした後に、遠隔操作用ヤットコ１００で電線Ｅを引っ張りながら所望の方向に移動すればよい。このため、電線Ｅの周囲の他の電線や柱上装置などの敷設状態に応じて、適切な方向を選んで操作することができる。すなわち、作業場所が電線Ｅと他の電線や柱上装置などとの距離があまりないような込み合った場所であっても、他の電線や柱上装置などと干渉することなく、電線Ｅを適切に変形させることができる。つまり、高圧架線から上部引留碍子Ｇの間の余長があるような場所であっても、上部引留碍子Ｇを支持点として、電線Ｅを引っ張りながら張力をかけて変形させることができる。このようにして、電線Ｅの敷設場所や周囲の状態に制限されずに、電線Ｅを所望の形状に曲げたり、くせ取りしたりすることができる。
【００３８】
さらに、摩擦ドラム２の周面は、電線Ｅとの間に所定の摩擦抵抗を生じる部材で構成されているので、摩擦ドラム２と、第１の電線押圧部４と第２の電線押圧部６とによって確実に電線Ｅに張力を加えることができる。このため、より適切に電線Ｅを所望の形状に曲げたり、くせ取りしたりすることができる。すなわち、大きな張力や大きな変形を必要としないので、電線Ｅが損傷することを防止できる。
【００３９】
さらにまた、第１のアダプタ７と第２のアダプタ８との揺動範囲は、遠隔操作用ヤットコ１００の可動部１０２の可動範囲によって制限されているので、不用意に電線Ｅを鋭角に曲げてしまうようなことがないため、電線Ｅが損傷することを防止可能である。
【００４０】
以上、この発明の実施の形態を詳述してきたが、具体的な構成は上記の実施の形態に限られるものではなく、この発明の要旨を逸脱しない範囲の設計の変更等があっても、この発明に含まれる。例えば、この実施の形態においては、高圧架線から上部引留碍子Ｇの間の電線Ｅに使用する場合について説明したが、この場所に限られるものではない。
【００４１】
また、電線曲げ用先端工具１の形状は図１および図２に示す構成に限定されるものではなく、例えば、図４および図５に示す構成の電線曲げ用先端工具１０でもよい。具体的には、電線曲げ用先端工具１０は、第１のアーム１３の多端側１３ｃと、第２のアーム１５の多端側１５ｃの構成が、電線曲げ用先端工具１における第１のアーム３の多端側３ｃと第２のアーム５の多端側５ｃの構成とは異なっている。このため、電線曲げ用先端工具１と同等の構成については、同一符号又は対応する符号を付することで、その説明を省略する。
【００４２】
第１のアーム１３の多端側１３ｃには、遠隔操作用ヤットコ１００の可動部１０２に着脱可能に取付けするための係合部が形成されている。
【００４３】
第２のアーム１５の多端側１５ｃは、ドラム状に形成されており、可動アダプタ１８によって周面を押圧されることにより、摩擦ドラム２に対して揺動可能となっている。可動アダプタ１８は、遠隔操作用ヤットコ１００の可動部１０２に着脱可能に取付けするための係合部が形成されており、湾曲した円弧状の曲面部１８ａが形成されている。すなわち、遠隔操作用ヤットコ１００を操作して可動アダプタ１８を揺動させることにより、第２のアーム１５の多端側１５ｃの周面を押圧して揺動させるようになっている。
【００４４】
これにより、遠隔操作用ヤットコ１００を操作することにより、第１のアーム１３の多端側１３ｃと第２のアーム１５の多端側１５ｃとを進退させることができるようになっている。
【符号の説明】
【００４５】
１                電線曲げ用先端工具
２                摩擦ドラム
３                第１のアーム
３ａ              曲げ部
４                第１の電線押圧部
５                第２のアーム
５ａ              曲げ部
６                第２の電線押圧部
７                第１のアダプタ
８                第２のアダプタ
１００            遠隔操作用ヤットコ（把持工具）
１０１            操作棒
１０２            可動部
１０３            操作棒
【図１】
2014033575.tif 000003
【図２】
2014033575.tif 000004
【図３】
2014033575.tif 000005
【図４】
2014033575.tif 000006
【図５】
2014033575.tif 000007